(57)【特許請求の範囲】
【請求項１】
建屋の天井部に設置され、熱交換器、ファン及びファンモータを収容して構成されたユニット本体に吹出ダクトが延設された空気調和機において、
前記ユニット本体の箱体の天板に複数のビードが延在して設けられ、少なくとも一つのビードに前記箱体を、前記熱交換器を収容する熱交換器室と、前記ファン及びファンモータを収容するファン室とに仕切る仕切板を取り付け、この仕切板に補強ビードを膨出させて形成するとともに、前記仕切板及び少なくとも他の一つの前記ビードに前記ファンモータを固定したことを特徴とする空気調和機。
【請求項２】
上記天板に機器または部材を固定する固定具が、天板のビードに位置付けられたことを特徴とする請求項１に記載の空気調和機。
【請求項３】
上記ビードが、天板において互いに対向する一端から他端に亘って直線状に形成されたことを特徴とする請求項１または２に記載の空気調和機。
【発明の詳細な説明】
【０００１】
【発明の属する技術分野】
本発明は、建屋の天井部に設置され、内部に熱交換器およびファンを備え、熱交換された空気を吹き出しダクトを介して室内の適宜位置へ導き吹き出させる空気調和機に関する。
【０００２】
【従来の技術】
一般に、建屋の天井空間に設置され、室内熱交換器およびファンを収容して構成されたユニット本体に、吹出ダクトが延設されたビルトイン型空気調和機が知られている。このようなビルトイン型空気調和機では、室内熱交換器にて熱交換された空気を、吹出ダクトを介して室内の適宜位置へ導き室内に吹き出すことができるので、室内の美観を損なうことなく最適な空気調和を実現できる。
【０００３】
従来、この種のビルトイン型空気調和機には、図８に示すように、パネル仕様ビルトイン型空気調和機１０とダクト仕様ビルトイン型空気調和機２０とがある。パネル仕様ビルトイン型空気調和機１０（図８（Ａ））は、ユニット本体１１の下面に設けられて天井板に設置される天井パネル１２から室内空気を吸い込むものであり、また、電装箱がユニット本体１１内部に配設されている。一方、ダクト仕様ビルトイン型空気調和機２０（図８（Ｂ））は、ユニット本体２１の背面に吸込ダクト２２を設けて、この吸込ダクト２２を介し室内空気を吸い込むものであり、電装箱２３がユニット本体２１の側板の外面に設置されている。
【０００４】
これらのユニット本体１１及び２１は、図９に示すように、箱体１４内に熱交換器１５、並びにファン及びファンモータ１６が収容されて構成される。箱体１４には仕切板１７が設置され、箱体１４内は、この仕切板１７により、熱交換器１５が収容される熱交換器室１８と、ファン及びファンモータ１６が収容されるファン室１９とに仕切られる。
【０００５】
上記仕切板１７は、箱体１４の天板２４に頭部２５Ａが溶接された取付ボルト２５と、この取付ボルト２５に螺合されるナット２６とを用いて天板２４に固定される。また、ファンモータ１６は、仕切板１７のみに固定されている。
【０００６】
【発明が解決しようとする課題】
上述のユニット本体１１及び２１における箱体１４の天板２４は、平坦な平板形状であるため強度が低く、従って、箱体１４の剛性も低い。
【０００７】
箱体１４の天板２４の強度を増大させるためには、天板２４の板厚を厚くする必要がある。このため、箱体１４の重量が増大してしまう。
【０００８】
更に、ファンモータ１６が仕切板１７にのみ固定されて支持されていることから、ファンモータ１６の運転時に仕切板１７の振動が激しくなって、ユニット本体１１及び２１の騒音が増大してしまう。
【０００９】
また、仕切板１７を箱体１４の天板２４に取り付けるに際しては、まず、取付ボルト２５を天板２４に溶接し、次に、この取付ボルト２５とナット２６とを用いて、仕切板１７を天板２４に固定することから、仕切板１７の取付作業が繁雑となり、作業性が低下してコストが上昇してしまう。
【００１０】
本発明の目的は、上述の事情を考慮してなされたものであり、ユニット本体の箱体の剛性を向上させることができる空気調和機を提供することにある。
【００１１】
【課題を解決するための手段】
請求項１に記載の発明は、建屋の天井部に設置され、熱交換器、ファン及びファンモータを収容して構成されたユニット本体に吹出ダクトが延設された空気調和機において、前記ユニット本体の箱体の天板にビードが延在して設けられ、このビードに前記箱体を、前記ユニット本体の箱体の天板に複数のビードが延在して設けられ、少なくとも一つのビードに前記箱体を、前記熱交換器を収容する熱交換器室と、前記ファン及びファンモータを収容するファン室とに仕切る仕切板を取り付け、この仕切板に補強ビードを膨出させて形成するとともに、前記仕切板及び少なくとも他の一つの前記ビードに前記ファンモータを固定したことを特徴とするものである。
【００１２】
請求項２に記載の発明は、請求項１に記載の発明において、上記天板に機器または部材を固定する固定具が、天板のビードに位置付けられたことを特徴とするものである。
【００１３】
請求項３に記載の発明は、請求項１または２に記載の発明において、上記ビードが、天板において互いに対向する一端から他端に亘って直線状に形成されたことを特徴とするものである。
【００１４】
請求項１に記載の発明には、次の作用がある。
【００１５】
ユニット本体の箱体の天板にビードが延在して設けられたことから、このビードにより天板の強度が増大し、従って、ユニット本体の箱体の剛性を向上させることができる。
【００１６】
また、ユニット本体の箱体の天板にビードが設けられて、天板の強度が増大したことから、天板にビードが存在しない場合に同一強度を得るための天板の板厚に比べ、天板を薄肉化でき、従って箱体を薄肉化できる。このため、箱体を軽量化でき、空気調和機の施工性を向上させることができる。
【００１７】
更に、熱交換器を収容する熱交換器室と、ファンを収容するファン室とを仕切る仕切板に固定されたファンモータが、強度の増大した天板にも固定されたことから、ファンモータによるユニット本体の箱体の振動を抑制でき、ユニット本体の騒音を低減できる。
【００１８】
請求項２に記載の発明には、次の作用がある。
【００１９】
天板に機器または部材を固定する固定具が、天板のビードに位置付けられたことから、固定具の一部をビード内に収容できるので、固定具が天板の外部に突出することを防止できる。この結果、固定具としてセルフタップねじ等の通常のねじを使用することができ、ユニット本体の組立作業性及びコストを低減できる。
【００２０】
請求項３に記載の発明には、次の作用がある。
【００２１】
ビードが、天板において互いに対向する一端から他端に亘って直線状に形成されたことから、天板にビードを成形するための型が複雑とならず、型費を低減できる。
【００２２】
【発明の実施の形態】
以下、本発明の実施の形態を、図面に基づき説明する。
【００２３】
図１は、本発明に係る空気調和機が適用されたビルトイン型空気調和機の第一の実施の形態を示し、（Ａ）がパネル仕様ビルトイン型空気調和機、（Ｂ）がダクト仕様ビルトイン型空気調和機をそれぞれ示す側面図である。
【００２４】
図１（Ａ）に示すパネル仕様ビルトイン型空気調和機３０と、図１（Ｂ）に示すダクト仕様ビルトイン型空気調和機４０は、共に、建屋３１の天井３２と天井板３３との間の天井空間３４内に懸吊して配設され、ユニット本体３５、吹出ダクト３６及び運転制御用の電装箱３７を有して構成される。
【００２５】
上記ユニット本体３５の箱体５４は、互いに対向配置されて四角枠形状に設けられた４枚の側板３８の上縁部に天板３９が、下縁部の一部にドレンパン押え板４６がそれぞれ固定されて構成される。これらの側板３８、天板３９及びドレンパン押え板４６の内外表面または、内側もしくは外側表面（本実施の形態では外側表面）に断熱材が貼着されている。
【００２６】
このユニット本体３５の箱体５４の側板３８には吊り金具４１が固着され、この吊り金具４１が、建屋３１の天井３２から垂下された吊りボルト４２に止着されて、パネル仕様ビルトイン型空気調和機３０、ダクト仕様ビルトイン型空気調和機４０が建屋３１の天井３２に懸吊可能に構成される。
【００２７】
このユニット本体３５は箱体５４の内部に、図５に示す室内熱交換器５５、ファン（不図示）およびファンモータ５６が収容して構成される。上記室内熱交換器５５は、図２及び図３に示す冷媒配管接続口４３に接続された冷媒配管（ガス管）、及び冷媒配管接続口４４に接続された冷媒配管（液管）を用いて、図示しない室外機に接続される。ユニット本体３５の室内熱交換器５５は、室外機から導かれる冷媒の蒸発または凝縮により、後述の如くユニット本体３５内に吸い込まれた空気を冷却し又は暖房する。
【００２８】
尚、図２、図３中の符号４５Ａはドレン配管接続口を示し、符号４５Ｂはドレン排出口を示す。
【００２９】
図１に示す上記吹出ダクト３６は、通常、複数本がユニット本体３５から延設されている。吹出ダクト３６のそれぞれは、ユニット本体３５の箱体５４の一つの側板３８Ａに一体に設置された吹出口４７（図２、図３）に一端が嵌装され、他端に吹出グリル４８が取付けられる。この吹出グリル４８は、天井板３３の適宜位置に設置される。ユニット本体３５のファンの回転により、後述の如くユニット本体３５内に室内空気が吸い込まれ、室内熱交換器により熱交換された空気が、吹出ダクト３６を経て吹出グリル４８から室内へ吹き出される。
【００３０】
ところで、図１（Ａ）及び図２に示すパネル仕様ビルトイン型空気調和機３０は、ユニット本体３５の下部開口に天井パネル４９が嵌装されたものである。この天井パネル４９は、中央位置に吸込板５０を備え、この吸込板５０との隙間から室内空気を吸い込み、ユニット本体３５内へ導入する。
【００３１】
また、図１（Ｂ）及び図３に示すダクト仕様ビルトイン型空気調和機４０は、ユニット本体３５の箱体５４の一つの側板３８で、吹出口４７が設置された側板３８Ａに対向する側板（すなわちダクト仕様ビルトイン型空気調和機４０の背面側板３８Ｂ）に、図示しない吸込開口が形成され、この側板３８（背面側板３８Ｂ）に、例えばフィルタボックス５１を介して、通常一本の吸込ダクト５２が連設されたものである。吸込ダクト５２の一端部に吸込グリル５３が嵌装され、この吸込グリル５３が、天井板３３の適宜位置に設置される。この吸込グリル５３から室内空気が取り込まれ、吸込ダクト５２を経てユニット本体３５内へ吸い込まれる。
【００３２】
尚、ダクト仕様ビルトイン型空気調和機４０のユニット本体３５の下部開口は、遮風板５７により閉じられる。本実施の形態では、この遮風板５７の外側にも断熱材が貼着されている。また、上記電装箱３７は、図１に示すように、ユニット本体３５の側板３８のうち、吹出ダクト３６または吸込ダクト５２が配設されていない側板３８Ｃに取付けられる。
【００３３】
さて、上記ユニット本体３５における箱体５４の天板３９には、図４に示すように、箱体５４の内側へ突出する複数本、例えば２本のビード６０、６１が押し曲げ加工により成形されている。このビード６０、６１は、天板３９における相互に対向する一端縁３９Ｃから他端縁３９Ｄに亘って直線状に延在され、平行して設けられる。このビード６０及び６１の成形により天板３９の強度が増大し、箱体５４の剛性が向上する。
【００３４】
ここで、天板３９の一端縁３９Ｃは側板３８Ｃに接し、他端縁３９Ｄは、側板３８Ｃに対向配置した側板３８Ｄに接する。そして、これらの側板３８Ｃと側板３８Ｄには、ビード６０、６１に対応した窪み部６２、６３がそれぞれ形成される。天板３９のビード６０、６１が側板３８Ｃ及び側板３８Ｄの窪み部６２、６３にそれぞれ嵌合した状態で、天板３９が箱体５４の側板３８Ａ、背面側板３８Ｂ、側板３８Ｃ、側板３８Ｄに固定して支持されて、箱体５４の剛性がより向上する。
【００３５】
また、ユニット本体３５の箱体５４内は、図５に示すように、仕切板６４によって、室内熱交換器５５を収容する熱交換器室６５と、ファン及びファンモータ５６を収容するファン室６６とに仕切られる。
【００３６】
仕切板６４には、図６に示すように、Ｔ字形状に延びる補強ビード６７が膨出して形成されると共に、送風口６８が開口されている。補強ビード６７の成形により、仕切板６４の強度が増大する。また、送風口６８は、ファンの取付位置に対応して形成され、ファンからの送風を熱交換器室６５内へ導く。
【００３７】
上記仕切板６４は、図５及び図７に示すように、固定具としてのセルフタップねじ６９を用いて天板３９に固定される。このセルフタップねじ６９は天板３９のビード６０に位置付けられ、仕切板６４の取付部７０と天板３９のビード６０とを貫通し、仕切板６４を天板３９のビード６０に締結して固定する。この締結後、セルフタップねじ６９のねじ先端部６９Ａがビード６０内に収容されて、天板３９の外方へ突出しないように、ビード６０の深さが設計される。
【００３８】
ファンモータ５６は、仕切板６４にセルフタップねじ７１を用いて固定されると共に、天板３９のビード６１に位置付けられたセルフタップねじ７２を用いて天板３９に固定される。この場合も、セルフタップねじ７２は、ファンモータ５６の固定金具７３と天板３９のビード６１とを貫通し、ファンモータ５６を天板３９のビード６１に締結して固定する。このときにも、セルフタップねじ７２のねじ先端部７２Ａがビード６１内に収容されて、天板３９の外方へ突出しないように、ビード６１の深さが設計される。
【００３９】
従って、上記実施の形態によれば、次の効果（１）〜（５）を奏する。
【００４０】
（１）ユニット本体３５の箱体５４の天板３９にビード６０、６１が延在して設けられたことから、このビード６０、６１により天板３９の強度が増大し、従って、ユニット本体３５の箱体５４の剛性を向上させることができる。
【００４１】
（２）ユニット本体３５の箱体５４の天板３９にビード６０、６１が設けられて、天板３９の強度が増大したことから、天板３９にビード６０、６１が存在しない場合に同一強度を得るための天板の板厚に比べ、天板３９を薄肉化でき、従って箱体５４を薄肉化できる。このため、箱体５４を軽量化でき、パネル仕様ビルトイン型空気調和機３０、４０の施工性を向上させることができる。
【００４２】
（３）室内熱交換器５５を収容する熱交換器室６５と、ファン及びファンモータ５６を収容するファン室６６とを仕切る仕切板６４に固定された上記ファンモータ５６が、強度の増大した天板３９にも固定されたことから、ファンモータ５６によるユニット本体３５の箱体５４の振動を抑制でき、ユニット本体３５の騒音を低減できる。
【００４３】
（４）天板３９に仕切板６４、ファンモータ５６をそれぞれ固定するセルフタップねじ６９、７２が、天板３９のビード６０、６１にそれぞれ位置付けられたことから、セルフタップねじ６９のねじ先端部６９Ａ、セルフタップねじ７２のねじ先端部７２Ａをビード６０、６１内にそれぞれ収容できるので、セルフタップねじ６９、７２が天板３９の外部に突出することを防止できる。この結果、セルフタップねじ６９、７２などの通常のねじを使用することができ、ユニット本体３５の組立作業性及びコストを低減できる。
【００４４】
（５）ビード６０、６１が、天板３９において互い対向する一端縁３９Ｃから他端縁３９Ｄに亘って直線状に形成されたことから、天板３９にビード６０、６１を形成するための金型が複雑とならず、金型費を低減できる。
【００４５】
以上、本発明を上記実施の形態に基づいて説明したが、本発明はこれに限定されるものではない。
【００４６】
例えば、天板３９に設けられるビードは一本または三本以上であっても良く、更に、複数本のビードが直交して形成されても良い。
【００４７】
【発明の効果】
以上のように、本発明に係る空気調和機によれば、ユニット本体の箱体の天板にビードが延在して設けられたことから、ユニット本体の箱体の剛性を向上させることができる。
【図面の簡単な説明】
【図１】本発明に係る空気調和機が適用されたビルトイン型空気調和機の一実施の形態を示し、（Ａ）がパネル仕様ビルトイン型空気調和機、（Ｂ）がダクト仕様ビルトイン型空気調和機のそれぞれ側面図である。
【図２】図１（Ａ）におけるパネル仕様ビルトイン型空気調和機のユニット本体を示す斜視図である。
【図３】図１（Ｂ）におけるダクト仕様ビルトイン型空気調和機のユニット本体を示す斜視図である。
【図４】図２及び図３に示すユニット本体の斜視図である。
【図５】図４のＶ−Ｖ線に沿う断面図である。
【図６】図５の仕切板を示す斜視図である。
【図７】図５のＶＩＩ部拡大断面図である。
【図８】従来のビルトイン型空気調和機を示し、（Ａ）がパネル仕様ビルトイン型空気調和機、（Ｂ）がダクト仕様ビルトイン型空気調和機のそれぞれ部分斜視図である。
【図９】図８のユニット本体における図５に対応する断面図である。
【符号の説明】
３０  パネル仕様ビルトイン型空気調和機
３１  建屋
３２  天井
３４  天井空間
３５  ユニット本体
３６  吹出ダクト
３９  天板
３９Ｃ  一端縁
３９Ｄ  他端縁
４０  ダクト仕様ビルトイン型空気調和機
５４  箱体
５５  室内熱交換器
５６  ファンモータ（機器）
６４  仕切板（部材）
６９  セルフタップねじ
７２  セルフタップねじ
【図１】
0003842920.tif 000002
【図２】
0003842920.tif 000003
【図３】
0003842920.tif 000004
【図４】
0003842920.tif 000005
【図５】
0003842920.tif 000006
【図６】
0003842920.tif 000007
【図７】
0003842920.tif 000008
【図８】
0003842920.tif 000009
【図９】
0003842920.tif 000010